(57)【要約】【課題】  ドアパネルを取付けているヒンジ部材に容易に紐を掛けられないトレイブースを提供する。【解決手段】  ヒンジ部材１６ａにより回動自在に取付けられたドアパネル１３ａを具備するトイレブース１０において、前記ヒンジ部材１６ａのうち、前記ドアパネル１３ａの上方に位置する部分を少なくとも覆い隠すカバーパネル１７Ａが、トイレブース１０内に設けられている。カバーパネル１７Ａは、床面から天井にわたって立設される形態が好ましい。【選択図】  図１
2006274590.tif 000002
【特許請求の範囲】
【請求項１】
ヒンジ部材により回動自在に取付けられたドアパネルを具備するトイレブースにおいて、
前記ヒンジ部材のうち、前記ドアパネルの上方に位置する部分を少なくとも覆い隠すカバーパネルが、当該トイレブース内に設けられたことを特徴とするトレイブース。
【請求項２】
前記カバーパネルは、床面から天井にわたって立設されたことを特徴とする請求項１に記載のトイレブース。
【発明の詳細な説明】
【技術分野】
【０００１】
本発明は、精神科病院などのトイレ室に設置されるトイレブースに関する。
【背景技術】
【０００２】
精神科病院、拘置所、刑務所などのトイレ室には、従来、一般のオフィスなどに設置されるものと同じ仕様のトイレブースが設置される場合が多かった。
【発明の開示】
【発明が解決しようとする課題】
【０００３】
しかしながら、これら施設においては、患者、収監者または受刑者が、トイレブース内で自殺を図る場合があり、特に、トイレブースのドアパネルを回動自在に取付けているヒンジ部材のうち、ドアパネルの上端から露出した部分に紐を掛け、首を吊るケースがあった。
【０００４】
本発明は上記事情に鑑みてなされたものであって、ドアパネルを取付けているヒンジ部材に容易に紐を掛けられないトレイブースを提供することを課題とする。
【課題を解決するための手段】
【０００５】
本発明のトイレブースは、ヒンジ部材により回動自在に取付けられたドアパネルを具備するトイレブースにおいて、前記ヒンジ部材のうち、前記ドアパネルの上方に位置する部分を少なくとも覆い隠すカバーパネルが、当該トイレブース内に設けられたことを特徴とする。
前記カバーパネルは、床面から天井にわたって立設されることが好ましい。
【発明の効果】
【０００６】
本発明のトイレブースによれば、ヒンジ部材に首を吊るための紐を容易には掛けられないので、トレイブース内での首吊り自殺を防止することができる。したがって、本発明のトイレブースは、精神科病院、拘置所、刑務所などのトイレ室への設置に適している。
【発明を実施するための最良の形態】
【０００７】
以下、本発明について図面を用いて詳細に説明する。
図１〜３は、本発明の一実施形態例であるトイレブース１０が、トイレ室に３室並設された状態を示すものであって、それぞれ斜視図、上方からの透視図、正面図である。また、図４および５はトイレブース１０の要部を示すものであって、それぞれ平面図、縦断面図である。
各トイレブース１０は、トイレ室の一壁面１１と、側面パネル１２と、ドアユニット１３に囲まれて形成され、その内部には、便器１４と、設備配管などを隠蔽するためのライニングカウンタ１５とが設置されている。
【０００８】
各トイレブース１０のドアユニット１３は、外開き型のドアパネル１３ａと、このドアパネル１３ａの両側方に床面Ｙから天井Ｔにわたって立設された縦枠１３ｂとからなっている。
この例のドアパネル１３ａは、使用者がトイレブース１０内に出入りする際に開閉するものであって、一側端側（戸尻側）の上端部が天井Ｔに、下端部が床面Ｙに、それぞれヒンジ部材１６ａ，１６ｂにより取り付けられ、ヒンジ部材１６ａ，１６ｂの具備する軸体を中心として回動自在とされている。また、この例では、ヒンジ部材１６ａ，１６ｂとしてグラビティヒンジ機構を備えたものが使用され、使用者などがドアパネル１３ａを開かない限り、このドアパネル１３ａは、その自重により常時閉鎖されるようになっている。また、この例では、ドアパネル１３ａの他側端部（戸先側）の上部が図中符号１３ａ’で示すようにテーパーカットされ、トイレブース１０内の換気性、採光性が考慮されているとともに、ドアパネル１３ａの上部への紐掛けが困難な形状とされている。
【０００９】
そして、この例のトイレブース１０では、ドアパネル１３ａの内側に、ドアパネル１３ａが閉鎖された際にこのドアパネル１３ａと略平行かつ若干の隙間を有するように配置されたカバーパネル１７Ａが立設されていて、ドアパネル１３ａを回動自在に取り付けているヒンジ部材１６ａ，１６ｂを覆い隠している。
具体的には、このカバーパネル１７Ａは、下端部に巾木１７’を有して構成されていて、その部分が床面Ｙに固定され、上端部が天井Ｔに固定され、一側端部１７ａがドアパネルの戸尻側に位置する側面パネル１２に固定されている。また、ここでカバーパネル１７は、ヒンジ部材１６ａ，１６ｂを覆い隠すことができ、かつ、使用者などがドアパネル１３ａを開いてトイレブース１０に出入りする際に邪魔にならないような幅とされている。通常、使用者が通過可能な開口幅、すなわち有効開口寸法（図３中符号Ｗ）は、５５０〜６００ｍｍ程度とされる。
【００１０】
このようなカバーパネル１７Ａを設けることによって、このトイレブース１０内からはヒンジ部材１６ａ，１６ｂが見えないとともに、たとえ便器１４に上ったとしても、ドアパネル１３ａの上端部側のヒンジ部材１６ａに紐を掛けることは困難であり、トイレブース１０内での首吊り自殺を未然に防ぐことができる。
【００１１】
以上の例では、カバーパネル１７Ａとして、床面Ｙから天井Ｔにわたって立設されたものが示され、ドアパネル１３ａの上端部側のヒンジ部材１６ａだけでなく、下端部側のヒンジ部材１６ｂも覆い隠すようになっているが、ヒンジ部材１６ａ，１６ｂのうち少なくともドアパネル１３ａの上方に位置する部分（すなわち、この例ではドアパネルの上端部側のヒンジ部材１６ａ）を覆い隠せればよい。このようなものとしては、図６〜７に示すように、少なくとも上端部側のヒンジ部材１６ａを覆い隠すように、ドアパネル１３ａの内側に天井Ｔから垂下するようにカバーパネル１７Ｂ，１７Ｃを設ける形態が例示でき、トイレブース１０の間口に相当する幅で設ける形態（図６）、トイレブース１０の間口よりも短い幅で設ける形態（図７）などが挙げられる。しかしながら、有効開口寸法を残しつつ床面Ｙから天井Ｔにわたって立設されるカバーパネル１７Ａによれば、図１〜３のような戸先側の上部がテーパーカットされたドアパネル１３ａと組み合わせた場合であっても、カバーパネル１７Ａがトイレブース１０の外側から見えずに意匠性に優れる。
【００１２】
また、カバーパネル１７Ａ，１７Ｂ，１７Ｃの材質としては、ドアユニット１３を形成する材質と同様に、メラミン、ポリエステル、不燃化粧板、金属化粧板、木突板、シート貼りなどの基材と、アルミニウム、ステンレス、木などのエッジ材とを組み合わせたものが好適に使用される。また、カバーパネル１７Ａ，１７Ｂ，１７Ｃの厚みには特に制限はなく、通常、ドアパネル１３ａや縦枠１３ｂなどと同程度とされる。
【００１３】
また、以上の例では、ヒンジ部材１６ａ，１６ｂとしてグラビティヒンジ機構を具備したものを使用したが、ドアパネル１３ａを回動自在に取り付けられる限りヒンジの種類には制限はなく、いかなるものも使用できる。
【図面の簡単な説明】
【００１４】
【図１】本発明の一例であるトイレブースが、トイレ室に設置された状態を示す斜視図である。
【図２】図１のトイレブースの上方からの透視図である。
【図３】図１のトイレブースの正面図である。
【図４】図１のトイレブースの要部の平面図である。
【図５】図１のトイレブースの要部の縦断面図である
【図６】他のトイレブースを示す正面図である。
【図７】さらに他のトイレブースを示す正面図である。
【符号の説明】
【００１５】
１０  トイレブース
１３ａ  ドアパネル
１６ａ，１６ｂ  ヒンジ部材
１７Ａ，１７Ｂ，１７Ｃ  カバーパネル
【図１】
2006274590.tif 000003
【図２】
2006274590.tif 000004
【図３】
2006274590.tif 000005
【図４】
2006274590.tif 000006
【図５】
2006274590.tif 000007
【図６】
2006274590.tif 000008
【図７】
2006274590.tif 000009